(57)【要約】  【課題】冷熱システムと誘導加熱装置を搭載した自動販売機で、これらを同時に運転した場合に、電力消費量が限界値を超える場合に、優先順位を付けて運転し、利用者の自動販売機による販売促進を高めた自動販売機を提供する。  【解決手段】誘導加熱装置８の稼働中に、冷熱システム１２の運転を行う指令が出ても、全体制御部２１は、冷熱システム制御部２２へ運転禁止指令を出し、冷却システム制御部２２よりも全体制御部２１からの指令が優先されて、冷熱システム１２の運転開始を一時保留し、誘導加熱装置８の稼働終了を待ってから、冷熱システム１２の運転を行う。【選択図】図３
2008102585.tif 000002
【特許請求の範囲】
【請求項１】
貯蔵室内の商品を冷熱システムによって所定の温度で保存し、誘導加熱装置によって加温して販売する自動販売機において、自動販売機の前記冷熱システムおよび前記誘導加熱装置の動作状態を把握し制御する全体制御部と、前記貯蔵室内の温度状況に応じて前記冷熱システムの運転を制御する冷熱システム制御部と、商品が加温指定された時に前記誘導加熱装置の運転を制御する誘導加熱制御部とを備え、前記冷熱システムが運転している場合は、前記全体制御部は前記誘導加熱制御部へ運転禁止指令を送り、前記誘導加熱装置が運転している場合は、前記全体制御部は前記冷熱システム制御部へ運転禁止指令を送るように制御したことを特徴とする自動販売機の制御装置。
【請求項２】
自動販売機内部に構成される冷熱システムおよび誘導加熱装置への電力供給線は、別々の経路に分岐して設け、冷熱システムへの電力供給経路は誘導加熱制御部が制御し、誘導加熱装置への電力供給経路は冷熱システム制御部が制御することを特徴とする請求項１に記載の自動販売機の制御装置。
【請求項３】
冷熱システム運転中に、誘導加熱装置を運転するとき、全体制御部は、冷熱システム制御部へ運転を強制停止する指令を送り、冷熱システムの運転を停止させた後、誘導加熱制御部へ運転指令を送り、誘導加熱装置を運転する手順としたことを特徴とする請求項１または２に記載の自動販売機の制御装置。
【請求項４】
誘導加熱装置稼働中に、冷熱システム制御部によって冷熱システムの運転を行う指令が出ても、全体制御部は、前記冷熱システム制御部へ運転禁止指令を出し、前記冷却システム制御部よりも前記全体制御部からの指令が優先されて、前記冷熱システムの運転開始を一時保留し、前記誘導加熱装置の稼働終了を待ってから、前記冷熱システムの運転を行うことを特徴とする請求項１から３のいずれか一項に記載の自動販売機の制御装置。
【請求項５】
電力供給線に電流検出部を設け、規定値以上の電流が検出された場合は、強制的に各部への電力供給線を遮断する構成にした請求項１から４のいずれか一項に記載の自動販売機の制御装置。
【発明の詳細な説明】
【技術分野】
【０００１】
本発明は、自動販売機における制御装置に関するものである。
【背景技術】
【０００２】
従来、所要電流が大きい複数の機器を搭載したシステム機器において、機器の動かし方によっては、電源回路の制限電流をオーバーすることがある場合、各機器に使用優先順位を付して、その優先順位にそって構成機器を動かすことによって、電源回路の制限電流をオーバーしない運転ができるようにしている（例えば、特許文献１参照）。
【０００３】
図６は、特許文献１に記載された従来の複数機器に対する通信システムの構成を示すブロック図である。図６に示すように、電力使用量制御機器５０と被電力使用量制御機器５１，５２，５３の各機器は共通の電源ライン５４に接続されて電力が供給されるとともに、上記電源ライン５４を介して互いにデータ伝送を行うようになっている。また電源ライン５４には、電力使用量制御機器５０に接続される電力使用量検出器５５が設けられている。
【０００４】
上記構成で、電力使用量制御機器５０と各被電力使用量制御機器５１〜５３との間では電力使用量の制御が行われる。
【０００５】
ここで、各被電力使用量制御機器５１〜５３は、機器本体の作動状態に応じて、指定された電力使用優先レベルとは異なる優先レベルに設定する必要がある場合には、上記指定を無視して優先レベルの設定を行い、設定した電力使用優先レベルを示す電力使用優先レベル確認コマンドを生成し、電力使用量制御機器５０に送信する。
【０００６】
上記のように通信システム全体の電力使用量を常時監視して、各被電力使用量制御機器の制御を行うことにより、電力使用量が限界値を超えそうな場合、自動的に迅速かつ確実に電力使用量を抑えることができ、また、電力使用量優先レベルの低い機器から順に停止させるので、各機器の停止による影響が最も小さくなるようにすることができる。
【特許文献１】特開平４−２００２３８号公報
【発明の開示】
【発明が解決しようとする課題】
【０００７】
しかしながら、前記従来の構成では、図示されない全体制御部が通信システム全体の電力使用量を監視し、電力使用量が所定値以上になると、伝送路を介して制御データが全体制御部から各被電力使用量制御機器の各制御部へ伝送され、各機器の作動優先順位に応じて作動状態が制御され、機器の安全性を確保している。
【０００８】
このため、例えば被電力使用量制御機器の制御部が暴走し、被電力使用量制御機器が異常運転を行った場合、優先順位を付けられた機器が、優先順位どおりに運転しなくなり、機器の動作を満足できず、電力使用量が限界値を超えてしまうという課題があった。
【０００９】
本発明は、上記従来の課題を解決するもので、２つ以上の複数の機器を搭載した自動販売機に関して、電流値や電力使用量が限界値を超えてしまうタイミングが発生することを抑止して、自動販売機の所有者にとって利便性の有する自動販売機の制御装置を供給すること目的としている。
【課題を解決するための手段】
【００１０】
前記従来の課題を解決するために、本発明の自動販売機の制御装置は、自動販売機の基本機能である冷蔵・温蔵を行う冷熱システムの運転と、誘導加熱装置の運転が同時に行われないようにするものであり、冷却システムの運転の電源ＯＮ／ＯＦＦ状態は誘導加熱制御部が監視し、誘導加熱装置の運転の電源ＯＮ／ＯＦＦ状態は冷却システム制御部が監視して、電流値や電力使用量が限界値を超えないように制御する。
【発明の効果】
【００１１】
本発明の自動販売機の制御装置は、電力使用機器の駆動時の総電流値を抑え、自動販売機での使用電力が、商用ＡＣ１００Ｖコンセント１口から取得できる電力をオーバーすることなしに自動販売機の運転を行うことができ、自動販売機所有者は誘導加熱装置によってホット商品を販売し、冷却システムによってコールド商品を販売できる自動販売機を電源の増設工事等することなく設置でき、自動販売機の設置効率を高めることができる。
【発明を実施するための最良の形態】
【００１２】
請求項１に記載の発明は、貯蔵室内の商品を冷熱システムによって所定の温度で保存しし、誘導加熱装置によって加温して販売する自動販売機において、自動販売機の前記冷熱システムおよび前記誘導加熱装置の動作状態を把握し制御する全体制御部と、前記貯蔵室内の温度状況に応じて前記冷熱システムの運転を制御する冷熱システム制御部と、商品が加温指定された時に前記誘導加熱装置の運転を制御する誘導加熱制御部とを備え、前記冷熱システムが運転している場合は、前記全体制御部は前記誘導加熱制御部へ運転禁止指令を送り、前記誘導加熱装置が運転している場合は、前記全体制御部は前記冷熱システム制御部へ運転禁止指令を送るように制御したものである。
【００１３】
これによって全体制御部が、冷熱システムと誘導加熱装置の運転／運転禁止状態を管理する構成とするため、冷熱システムと誘導加熱装置が同時に運転が行われないようにでき、自動販売機の駆動時の総電流値を抑え、総電力量が所定値を超えないようにできる。
【００１４】
請求項２に記載の発明は、請求項１に記載の発明に、自動販売機内部に構成される冷熱システムおよび誘導加熱装置への電力供給線は、別々の経路に分岐して設け、冷熱システムへの電力供給経路は誘導加熱制御部が制御し、誘導加熱装置への電力供給経路は冷熱システム制御部が制御するものである。
【００１５】
これによって、自動販売機全体を稼働させる電力供給線は単一コンセントから取得するものとし、自動販売機内部に構成される冷熱システムおよび誘導加熱装置への電力供給線は、単一コンセントから取得した電力供給線を、さらに別々の経路に分岐して設け、冷熱システムへの電力供給経路は誘導加熱制御部が制御し、誘導加熱装置への電力供給経路は冷熱システム制御部が制御するため、冷熱システム制御部および誘導加熱制御部のどちらか一方が、暴走・故障など発生した場合においても、冷熱システムおよび誘導加熱装置へ同時に電力が供給されないようにできる。
【００１６】
請求項３に記載の発明は、請求項１または２に記載の発明に、冷熱システム運転中に、誘導加熱装置を運転するとき、全体制御部は、冷熱システム制御部へ運転を強制停止する指令を送り、冷熱システムの運転を停止させた後、誘導加熱制御部へ運転指令を送り、誘導加熱装置を運転することができるものである。
【００１７】
これによって、冷熱システム運転よりも誘導加熱装置の運転を優先して行うので、ホット商品を選択した利用者を不要に待たせることがなく、販売促進を向上できる。
【００１８】
請求項４に記載の発明は、請求項１から３のいずれか一項に記載の発明に、誘導加熱装置稼働中に、冷熱システム制御部によって冷熱システムの運転を行う指令が出ても、全体制御部は、前記冷熱システム制御部へ運転禁止指令を出し、前記冷却システム制御部よりも前記全体制御部からの指令が優先されて、前記冷熱システムの運転開始を一時保留し、前記誘導加熱装置の稼働終了を待ってから、前記冷熱システムの運転を行うものである。
【００１９】
これによって、利用者の操作によって加熱運転を開始する誘導加熱装置が冷却システムによる冷却運転よりも優先されるので、利用者を不要に待たせず、ホット商品を提供することができる。
【００２０】
請求項５に記載の発明は、請求項１から４のいずれか一項に記載の発明に、電力供給線に電流検出部を設け、規定値以上の電流が検出された場合は、強制的に各部への電力供給線を遮断するものである。
【００２１】
これによって、自動復帰が可能であり、ブレーカによる電力供給の遮断を阻止できるので手動復帰させる必要がなく、自動販売機管理者がその場にいなくても、通常の運転状態に復帰させることができるので、販売を維持することができる。
【００２２】
（実施の形態１）
図１は、本発明の実施の形態１による自動販売機の外部構成図である。
【００２３】
図２は、本実施の形態１における自動販売機の内部構成図である。
【００２４】
図３は、本実施の形態１における自動販売機の制御装置の機能ブロック図である。
【００２５】
図４は、同実施の形態１の動作１を示すフローチャートである。
【００２６】
図５は、同実施の形態１の動作２を示すフローチャートである。
【００２７】
図１において、自動販売機筺体１は自動販売機本体であり、前部には、自動販売機ドア部２が設けられている。
【００２８】
自動販売機ドア部２には、販売する商品のサンプルを外部に示すディスプレイ部３、販売時に商品購入者が商品を選択する商品選択手段４、商品を購入する際に現金を入れる金銭取入手段５、販売する商品を取り出す取出し口６が設けられている。
【００２９】
自動販売機を制御する制御装置７、商品を販売する際に、販売商品を加熱する誘導加熱装置８は取出し口６周辺に設けている。
【００３０】
尚、制御装置７、誘導加熱装置８は、自動販売機外側からは、見えず、自動販売機ドア部２の内側に設けている。
【００３１】
また誘導加熱装置８は、利用者が商品選択手段４を操作し、誘導加熱対象商品を選択した場合に、商品選択手段４の押圧操作に連動して運転を開始するものである。
【００３２】
図２は、自動販売機筺体１の内部の基本構成を図化したものであり、自動販売機筐体１の中には、販売商品１１が貯蔵されており、冷熱システム１２の各部位が運転することにより、温度調整される仕組みとなる。
【００３３】
冷熱システム１２は、販売商品を保温するために運転するヒータ１３と、販売商品を保冷するために運転する、蒸発器１４と凝縮器１７と圧縮機１８からなる冷却システムと、自動販売機庫内に風を送る庫内用ファン１５と、凝縮器１７や圧縮機１８に風を送る庫外用ファン１６により構成される。
【００３４】
そして、冷熱システム１２は、自動販売機庫内に設置された庫内温度検知手段（図示しない）で温度状態（または温度情報）を検知し、設定温度以上であれば、冷熱システム制御部２２を介して全体制御部２１に信号が送られ、冷熱システムを運転する。すなわち圧縮機１８の駆動により庫内を冷却運転し、このとき、庫内用ファン１５や庫外ファン１６も同時に運転して冷却効率を向上させる。
【００３５】
図３において、制御装置７は、全体制御部２１と冷熱システム制御部２２と誘導加熱制御部２３により構成される。
【００３６】
全体制御部２１は、自動販売機の販売機能や自動販売機の状態を把握している部位であり、また、３つの制御部の中で「主」となるものである。
【００３７】
冷熱システム制御部２２は、冷熱システム１２を動かすものであり、販売商品１１を規定の温度で保存すべく温度調整を実行するものであり、３つの制御部の中で「従」となるものである。
【００３８】
誘導加熱制御部２３は、誘導加熱装置８を動かすものであり、商品が販売されるときに、「冷たい」販売商品１１を「暖かく」する動作を実行するものであり、また、３つの制御部の中で「従」となるものである。
【００３９】
３つの制御部は、互いに主従関係を保って通信をしながら、自動販売機の機能を満足する運転を行うものである。
【００４０】
尚、本実施の形態１では、全体制御部２１と冷熱システム制御部２２と誘導加熱制御部２３とを機能独立した形態にて説明をするため、それぞれを個別に独立配置したが、自動販売機内の機能を満足できるのであれば、どのような形態をとっても良いことは言うまでもない。
【００４１】
電源接続部２４は、自動販売機に設けた単一の家庭用コンセント電源を、自動販売機の内部で、冷熱システムと誘導加熱装置へ電力供給するスイッチである。
【００４２】
冷熱Ｓ電源スイッチ２５は、冷熱システムへの電源供給線に配置し、冷熱システムへ電源供給したい場合に動作させるスイッチである。
【００４３】
誘導加熱電源スイッチ２６は、誘導加熱装置への電源供給線に配置し、誘導加熱装置へ電源供給したい場合に動作させるスイッチである。
【００４４】
以上のように構成された自動販売機の制御装置について、以下、図４、図５を用いて動作を説明する。
【００４５】
図４は、冷熱システム１２が運転しているときに、誘導加熱装置２３を運転して商品を販売する場合のシーケンス例を示しており、本実施の形態１では動作１として記す。
【００４６】
図５は、誘導加熱装置２３を運転して販売する商品を販売している最中に、冷熱システム１２を運転する条件が整った場合のシーケンス例を示しており、本実施の形態１では動作２として記す。
【００４７】
まず、図４に示す動作１を説明する。
【００４８】
自動販売機において、冷熱システム１２および誘導加熱装置８が動作していない状態を待機状態とする（ＳＴＥＰ０）。
【００４９】
冷熱システム制御部２２は、自動販売機の販売商品１１を収納している庫内の温度情報を検出している（ＳＴＥＰ１）。
【００５０】
ＳＴＥＰ１において、庫内の温度情報が設定温度以上となり、冷熱システムの運転する条件と一致した場合には、全体制御部２１に信号が送られ、全体制御部２１は、電源接続部２４を接続する信号を出す（ＳＴＥＰ２）。
【００５１】
ＳＴＥＰ２の処理の後、全体制御部２１は、冷熱システム制御部２２および誘導加熱制御部２３へ信号を送り、誘導加熱制御部２３は冷熱Ｓ電源スイッチ２５をオン、冷熱システム制御部２２は、誘導加熱電源スイッチ２６をオフする動作を行う（ＳＴＥＰ３）。
【００５２】
ＳＴＥＰ３の動作の後、冷熱システム制御部２１は、圧縮機１８、庫内用ファン１５、庫外用ファン１６を駆動させて庫内商品の冷却を行う。すなわち冷熱システム１２を運転する（ＳＴＥＰ４）動作を行う。
【００５３】
次に商品選択手段４が押されか否か検出し、商品の販売があるか無いかを全体制御部２１が判定する（ＳＴＥＰ５）。
【００５４】
商品の販売がある場合は、ＳＴＥＰ６へ進み、無い場合は、ＳＴＥＰ１４へ進む。
【００５５】
商品選択手段４が押された場合は、一旦冷熱システムの運転状態を記憶し（ＳＴＥＰ６）、記憶するとともに、冷熱システム１２を停止する（ＳＴＥＰ７）。
【００５６】
冷熱システム制御部２２は全体制御部２１へ冷熱システム１２を停止させた信号を送った後、全体制御部２１は、冷熱システム制御部２２および誘導加熱制御部２３へ信号を送り、誘導加熱制御部２３は冷熱Ｓ電源スイッチ２５をオフ、冷熱システム制御部２２は、誘導加熱電源スイッチ２６をオンする動作を行う（ＳＴＥＰ８）。
【００５７】
次に、誘導加熱制御部２３は、誘導加熱装置８を運転させ、販売商品を誘導加熱によって暖める（ＳＴＥＰ９）。
【００５８】
販売商品が規定の温度に到達すると、誘導加熱制御部２３は、誘導加熱装置８の運転を停止する（ＳＴＥＰ１０）。
【００５９】
誘導加熱制御部２３から全体制御部２１へ誘導加熱装置８が停止した信号が送られた後、商品が販売されたときに記憶した冷熱システム１２の運転状態を呼び出す（ＳＴＥＰ１１）。
【００６０】
誘導加熱制御部２３は冷熱Ｓ電源スイッチ２５をオン、冷熱システム制御部２１は、誘導加熱電源スイッチ２６をオフする動作を行う（ＳＴＥＰ１２）。
【００６１】
例えば、冷熱システム１２を構成する圧縮機１８は、運転停止直後に運転を再開しようとした場合、冷熱システム１２の圧力バランスが悪く、圧縮機１８をすぐに運転しない方が良い場合がある。
【００６２】
このため、冷熱システム制御部２２では、圧縮機１８停止後から時間をカウントし、規定の時間を過ぎるまで圧縮機を運転しないようにしておく。
【００６３】
規定時間を経過すれば、冷熱システム制御部２２は圧縮機１８の運転を再開する（ＳＴＥＰ１３）。
【００６４】
ＳＴＥＰ１４では、冷熱システムが停止するための条件が整ったかどうか判定する。
【００６５】
例えば、販売商品１１が規定の温度に達したとき、それ以上、販売商品の温度を変化させる必要が無いので、冷熱システム制御部２２は、冷熱システム１２の運転を止める（ＳＴＥＰ１５）。
【００６６】
冷熱システム１２の運転が停止した後、全体制御部２１は、冷熱システム制御部２２、および誘導加熱制御部２３へ信号を送り、誘導加熱制御部２３は冷熱Ｓ電源スイッチ２５をオフ、冷熱システム制御部２１は、誘導加熱電源スイッチ２６をオフする動作を行う（ＳＴＥＰ１６）。
【００６７】
その後、電源接続部２４の接続状態を解除する（ＳＴＥＰ１７）。
【００６８】
続いて、図５に示す動作２を説明する。
【００６９】
図４と同様、自動販売機において、冷熱システム１２および誘導加熱装置８が動作していない状態を待機状態とする（ＳＴＥＰ０）。
【００７０】
商品選択手段４が押されたか否か検出し、商品の販売があるか無いかを全体制御部２１が判定する（ＳＴＥＰ２１）。
【００７１】
商品の販売がある場合は、ＳＴＥＰ２２へ進み、無い場合は、ＳＴＥＰ２１を繰り返す。
【００７２】
全体制御部２１から冷熱システム制御部２２へ冷熱システム運転禁止指令が出されるとともに、電源接続部２４を動作させ（ＳＴＥＰ２２）、ついで、冷熱システム制御部２２および誘導加熱制御部２３へ信号を送り、誘導加熱制御部２３は冷熱Ｓ電源スイッチ２５をオフ、冷熱システム制御部２２は、誘導加熱電源スイッチ２６をオンする動作を行う（ＳＴＥＰ２３）。
【００７３】
次に、誘導加熱制御部２３は、誘導加熱装置８を運転させ、販売商品誘導加熱によって暖める（ＳＴＥＰ２４）。
【００７４】
誘導加熱装置８が運転状態にあっても、冷熱システム制御部２２は、庫内温度検知手段による信号を通じて庫内が設定温度以上かどうかを監視し冷熱システム１２の運転を行うか否かを判定している（ＳＴＥＰ２５）。
【００７５】
庫内温度が適温に維持されている場合は、誘導加熱の運転が停止するのを待つが、庫内温度が設定温度以上になった場合は、冷熱システム制御部２２は冷熱システム１２への運転命令を保留する（ＳＴＥＰ２６）。また、冷熱システム制御部２２が冷熱システム１２への運転命令を行った場合でも、誘導加熱制御部２３が冷熱Ｓ電源スイッチ２５を監視し，ＯＦＦ状態に維持しているので、冷却システム１２の誤動作を阻止し、誘導加熱装置８の運転を優先するので、総電流値が抑えられ、電力使用量が限界値を超えることなく運転を継続でき、利用者の利便性を高めることができる。
【００７６】
また、冷熱システム１２が運転状態にある場合に、利用者が誘導加熱対象商品の商品選択手段４を操作した場合は、冷熱システム１２の運転を停止し、誘導加熱装置８の運転を優先させる。そして誘導加熱装置８の運転が終了すると、冷熱システム１２の運転を再開する。
【００７７】
したがって、ホット商品は利用者の商品選択手段４の操作に連動して初めて加熱を行うので、利用者が購入操作を開始して、適温状態になるように運転を始める誘導加熱装置８の運転を優先することが、最も重要であり、これによって商品が搬出されるまでの時間をできるだけ短縮し、利用者を待たせないようにするので、利用者の購買意欲を高めることができる。
【００７８】
販売商品の暖めが適温になって完了すると、誘導加熱制御部２３は、誘導加熱装置８の運転を停止し、同時に全体制御部２１から冷熱システム制御部２２へ、冷熱システム運転禁止指令を解除する信号が送られる（ＳＴＥＰ２７）。続いて、冷熱システム制御部２２は庫内温度状態を検知し、冷熱システム８の運転を行うかどうか判断する（ＳＴＥＰ２８）。
【００７９】
冷熱システム制御部２２では、ＳＴＥＰ２６にて保留された冷熱システム８の運転とＳＴＥＰ２７で全体制御部２１から冷熱システム制御部２２へ送られた冷熱システム運転禁止指令を解除する信号を合わせて、庫内温度状態等から冷熱システム８の運転をする・しないを判断する（ＳＴＥＰ２８）。
【００８０】
冷熱システム８を運転するという条件がそろった場合は、ＳＴＥＰ２９へ移行し、運転しない条件の場合は、ＳＴＥＰ３４へ移行する。
【００８１】
誘導加熱制御部２２は冷熱Ｓ電源スイッチ２５をオンし、冷熱システム制御部２１は、誘導加熱電源スイッチ２６をオフする動作を行う（ＳＴＥＰ２９）。ＳＴＥＰ３０にて、冷熱システム８の運転を行う。
【００８２】
ＳＴＥＰ３１では、冷熱システム８が停止するための条件が整ったかどうか判定する。
【００８３】
庫内温度が設定温度以下に維持されて冷熱システム３２の運転が停止した後、全体制御部２１は、冷熱システム制御部２２、および誘導加熱制御部２３へ信号を送り、誘導加熱制御部２３は冷熱Ｓ電源スイッチ２５をオフ、冷熱システム制御部２１は、誘導加熱電源スイッチ２６をオフする動作を行う（ＳＴＥＰ３４）。
【００８４】
その後、全体制御部２１は電源接続部２４の接続状態を解除する（ＳＴＥＰ３５）。つまり、冷熱システム１２は、電源供給するスイッチを制御する誘導加熱制御部２３と、その上位にある主電源となる電源接続部２４を制御する全体制御部２１とで監視され制御される。また誘導加熱装置８は、電源供給するスイッチを制御する冷熱システム制御部２２と、その上位にある主電源となる電源接続部２４を制御する全体制御部２１とで監視され制御される。
【００８５】
したがって、冷熱システム１２と誘導加熱装置８は互いの制御部によって同時に運転されないように制御され、かつ全体制御部２１によって主電源を制御されているので、冷熱システム１２と誘導加熱装置８の２つの機器が同時に運転されることはなく、誤動作等で同時運転になった場合でも、全体制御部２１によって主電源をＯＦＦするので、総電流値が抑えられ、電力使用量が限界値を超えてしまうことを抑止でき、自動販売機の所有者にとって利便性の有する自動販売機の制御装置を提供することができる。
【００８６】
また、図４、図５における、誘導加熱運転（ＳＴＥＰ９、ＳＴＥＰ２４）より以前、誘導加熱停止（ＳＴＥＰ１０、ＳＴＥＰ２７）より以後に、利用者が誘導加熱対象商品の商品選択手段４を操作しないにもかかわらず、電流検出部２７にて待機時の消費電流値以上の電流値を検出した場合、全体制御部２１が、電源接続部２４の接続状態を解除するとともに、冷熱システム制御部２２および誘導加熱制御部２３へ信号を送り、冷熱Ｓ電源スイッチ２５および誘導加熱電源スイッチ２６の接続状態を解除する。
【００８７】
そして、一定時間経過したら、冷熱Ｓ電源スイッチ２５のみ接続し、冷却システムの運転を開始し、誘導加熱電源スイッチ２６は接続状態解除のまま維持されるので、電力供給線が自動的に遮断されても、一定時間経過すれば自動復帰が可能であり、自動販売機の販売促進することができる。
【００８８】
尚、本実施の形態１では、冷熱システム１２への電力供給線と誘導加熱装置８への電力供給線を電源接続部２４で接続し、電源接続部２４を全体制御部２１にて制御するようにし、たとえ、冷熱システム制御部２２および誘導加熱制御部２３の両者が暴走・故障した場合においても、電源接続部２４をＯＦＦし、自動的に電力供給線を断ち切ることで、自動販売機の総電力がコンセントの電力基準となる１．５ｋｗという所定値を超えないように制御する構成としたが、電源接続部２４は、機械的に遮断できるもの（例えばヒューズ、ブレーカなど）で構成しても良い。
【００８９】
また、冷熱Ｓ電源スイッチ２５と誘導加熱電源スイッチ２６を無くした上、電源接続部２４を、２つの接点を配置した形態（１Ｃ接点など）とし、一方の接点が接続された場合は、もう一方の接点が接続されないよう構成にしても、同様に冷熱システム１２と誘導加熱装置８が同時に動作しない状態を作り出すことが出来るのはいうまでもない。
【００９０】
また、本実施の形態１では、制御回路上、電流検出部２７は、誘導加熱装置８の前段に配置し、誘導加熱装置８の動作を監視する形態を示したが、冷熱システム１２の前段に配置しても良いし、電源接続部２４の前段に配置しても良いことはいうまでもない。
【００９１】
以上のように本実施の形態の自動販売機の制御装置によれば、全体制御部２１が、冷熱システム１２と誘導加熱装置８の運転／運転停止禁止状態を管理するため、冷熱システム１２と誘導加熱装置８が同時に運転が行われないようにできる。
【００９２】
また、冷熱システム制御部２２は誘導加熱装置８への電力供給経路を、誘導加熱制御部２３は冷熱システム１２への電力供給経路を、互いに監視するため、制御部の暴走・故障などが発生した場合においても、冷熱システム１２と誘導加熱８へ同時に電力が供給されないようにでき、同時に電力が供給されて、ブレーカの動作により自動販売機全体が運転停止するのを阻止することができるので、自動販売機での販売効率を高めることができる。
【００９３】
また、誘導加熱装置８を運転するときは、全体制御部１２は、冷熱システム制御部２２へ冷熱システム１２の運転中の状態を停止する信号を送り、冷熱システム１２の運転を停止させた後、誘導加熱装置８を運転することができる。
【００９４】
また、冷熱システム制御部２２は、自動販売機の貯蔵庫内部の温度管理を独自で行い冷熱システム１２を運転／停止させることができるものであるが、誘導加熱装置８を運転する必要がある商品を販売している最中に、冷熱システム１２の運転を行う条件が整っても、全体制御部２１は、冷熱システム制御部２２へ運転禁止指令を出し、誘導加熱装置８の稼働終了を待ってから、冷熱システム８の運転を行うことができる。
【００９５】
また、電力供給線に電流検出部２７を設け、規定値以上の電流が検出された場合は、強制的に各部への電力供給線を遮断することができる。
【産業上の利用可能性】
【００９６】
以上のように、本発明にかかる自動販売機の制御装置は、自動販売機での使用電力が、商用ＡＣ１００Ｖコンセント１口から取得できる電力をオーバーすることなしに自動販売機の運転を行うことができるので、誘導加熱装置による加温運転と圧縮機による冷却システムによって冷却運転とを行う自動販売機に適用できる。
【図面の簡単な説明】
【００９７】
【図１】本発明の実施の形態１における自動販売機の概観の全体構成図
【図２】同実施の形態における自動販売機の内部の全体構成図
【図３】同実施の形態における自動販売機の制御装置の機能ブロック図
【図４】同実施の形態の動作１を示すフローチャート
【図５】同実施の形態の動作２を示すフローチャート
【図６】従来の複数機器に対する通信システムの構成を示すブロック図
【符号の説明】
【００９８】
１    自動販売機筺体
２    自動販売機ドア部
３    ディスプレイ部
４    商品選択手段
５    金銭取入手段
６    取出し口
７    制御装置
８    誘導加熱装置
１１  販売商品
１２  冷熱システム
１３  ヒータ
１４  蒸発器
１５  庫内用ファン
１６  庫外用ファン
１７  凝縮器
１８  圧縮機
２１  全体制御部
２２  冷熱システム制御部
２３  誘導加熱制御部
２５  冷熱Ｓ電源スイッチ
２６  誘導加熱電源スイッチ
２７  電流検出部
【図１】
2008102585.tif 000003
【図２】
2008102585.tif 000004
【図３】
2008102585.tif 000005
【図４】
2008102585.tif 000006
【図５】
2008102585.tif 000007
【図６】
2008102585.tif 000008